(57)【要約】【課題】  機密情報を削除する墨消し処理において、非表示のレイヤーや非表示の注釈、検索できない文字などがあると機密情報を見落とす可能性がある。【解決手段】  設定された領域と重なる位置にあるオブジェクトを墨消しする墨消し処理手段と、前記オブジェクトの属性と前記オブジェクトに設定されたレベルに応じて、前記墨消し処理手段によって墨消しされた領域の変更を行う変更手段とを有する。【選択図】  図２
2015203919.tif 000002
【特許請求の範囲】
【請求項１】
設定された領域と重なる位置にあるオブジェクトを墨消しする墨消し処理手段と、
前記オブジェクトの属性と前記オブジェクトに設定されたレベルに応じて、前記墨消し処理手段によって墨消しされた領域の変更を行う変更手段と、
を有することを特徴とする情報処理装置。
【請求項２】
前記変更手段は、前記設定された領域の変更は、領域が存在するページの注釈、レイヤーにおいても行うことを特徴とする請求項１に記載の情報処理装置。
【請求項３】
前記変更手段は、前記墨消しされた領域の変更は、前記オブジェクトが存在する領域が表示、非表示を問わず行うことを特徴とする請求項１に記載の情報処理装置。
【請求項４】
前記変更手段は、前記設定された領域と重なる文字数のイメージ全体に対する割合を表示することを特徴とする請求項１に記載の情報処理装置。
【請求項５】
設定された領域と重なる位置にあるオブジェクトを墨消しする墨消し処理ステップと、
前記オブジェクトの属性と前記オブジェクトに設定されたレベルに応じて、前記墨消し処理手段によって墨消しされた領域の変更を行う変更ステップと、
を有することを特徴とする情報処理方法。
【請求項６】
コンピュータを請求項１乃至４のいずれか一項に記載の情報処理装置として機能させるためのプログラム。
【発明の詳細な説明】
【技術分野】
【０００１】
本発明は、文書に含まれる情報を処理する情報処理装置、情報処理方法、プログラムに関する。
【背景技術】
【０００２】
従来、文書内の機密情報の漏えいを防止する場合に、印刷時に機密情報にあたる文字をＸなど別の文字に置き換えて印刷する手法があり、特許文献１で開示されている。特許文献１の帳票作成システムの文字列転置処理部は、テスト印字などを行う場合に帳票内の文字列をバラバラに配置したデータを生成する。または、Ｘなど別の文字に置き換えたデータを生成する。その後、生成したデータをスプール領域に記憶して印刷を行うことで機密情報を保持する。
【先行技術文献】
【特許文献】
【０００３】
【特許文献１】特開２０１２−２０３４８３号公報
【発明の概要】
【発明が解決しようとする課題】
【０００４】
しかしながら、特許文献１の文字列転置処理部は、たとえばイメージなどの文字以外の機密に対応できない。また、自ら設定した場所以外に同様な機密情報があった場合に見落とす可能性がある。特に非表示のレイヤーや非表示の注釈が設定できるようなドキュメントにおいては見落とす可能性が高まる。
【課題を解決するための手段】
【０００５】
本発明の情報処理装置は、設定された領域と重なる位置にあるオブジェクトを墨消しする墨消し処理手段と、前記オブジェクトの属性と前記オブジェクトに設定されたレベルに応じて、前記墨消し処理手段によって墨消しされた領域の変更を行う変更手段とを有することを特徴とする。
【発明の効果】
【０００６】
本発明によれば、ユーザが設定した領域以外で見落とした機密情報を修正し、ページ数やオブジェクト数が多いドキュメントにおいても手間をかけず短時間で機密保持レベルに応じた機密領域のチェックと修正を行うことが可能となる。
【図面の簡単な説明】
【０００７】
【図１】本実施形態のハードウェア構成を示すブロック図である。
【図２】墨消し処理部７と墨消し領域チェック部８が実行する処理のフローチャートである。
【図３】本実施形態の処理を説明する説明図である。
【図４】墨消し領域チェック部８の処理を説明する説明図である。
【図５】墨消し領域チェック部８が実行する処理のフローチャートである。
【図６】墨消し領域チェック部８が実行する処理のフローチャートである。
【図７】墨消し領域チェック部８が実行する処理のフローチャートである。
【図８】墨消し領域チェック部８が実行する処理のフローチャートである。
【図９】墨消し領域チェック部８が実行する処理のフローチャートである。
【図１０】墨消し領域チェック部８が実行する処理のフローチャートである。
【図１１】本実施形態の処理を説明する説明図である。
【図１２】墨消し領域チェック部８が実行する処理のフローチャートである。
【発明を実施するための形態】
【０００８】
［実施形態１］
以下、本発明を実施するための最良の形態について図面を用いて説明する。
【０００９】
本実施例に係る情報処理装置のハードウェア構成を図１に示す。１はＣＰＵ、２はデータ入力のためのキーボード、３は文書画像を表示するディスプレイ、４は文書を格納するハードディスク、５は装置を制御するプログラムや必要な情報をあらかじめ記憶するＲＯＭである。６は様々なワークエリアとして利用されるＲＡＭ、７は設定された領域内のすべてのデータを削除する墨消し処理部である。８は本願発明の特徴である墨消し領域チェック部である。９は各種データを転送するデータバスである。
【００１０】
以下、ＲＯＭ５に格納されたプログラムによってＣＰＵ１が実行する処理を説明する。
【００１１】
具体的には、文書から機密データを削除する処理において図１の墨消し処理部７や墨消し領域チェック部８の動作に関して詳細に説明する。
【００１２】
図２は、本実施形態を示す電子文書制御装置（情報処理装置）における機密データを削除する処理手順の一例を示すフローチャートである。図３は、本実施例を説明する説明図である。
【００１３】
ステップＳ２０１において、墨消し領域の設定をユーザにさせる。図３（ａ）の３０１はディスプレイ３に映された本実施例の電子文書制御装置の操作画面である。文書３０２には、イメージ３０３と文字列３０４が含まれている。設定ボタン３０５がクリックされると墨消し領域設定モードに入り、マウスにて文書３０２上のどの領域のデータを削除するかユーザにより墨消し領域を設定される。図３（ｂ）の墨消し領域３０７と３０８は、ユーザにより設定された墨消し領域を示す。
【００１４】
次に、ステップＳ２０２において、セキュアレベルの設定を行う。ユーザにダイアログを出すなどしてセキュアレベルの設定をさせる。もしくは、あらかじめセキュアレベルを設定させる、または固定のセキュアレベルを用いても構わない。本実施例では、セキュアレベルは１から３まで設定可能である。レベル１は、できるだけデータを残してユーザの可読性を高め、最低限の機密を保持するものである。レベル３は、できるだけ機密保持できるように関連するデータはすべて削除するものである。ＯＢＪや非表示の属性に対する各レベルでの動作内容についての例は図４の表に記載の通りである。ここでは４つの場合の属性について記載しているが、他にも表ＯＢＪ、パス描画ＯＢＪなど定義しても構わない。レベルも１から３まで記載しているが、それより少なくても、多くても構わない。
【００１５】
次に、ステップＳ２０３で、墨消しセキュアチェックボタン３１２が押されたか判定する。図３（ｃ）の墨消しセキュアチェックボタン３１２がユーザにより押された場合は、ステップ２０４に進む。押されなかった場合はステップＳ２１４に進む。ステップＳ２１４では、墨消し実行ボタン３０６が押されれば、ステップＳ２１３に進み、墨消し処理を実行する。押されなければステップ２０３に戻り、ユーザがボタンを押すまで待ち続ける。ステップＳ２０４では、セキュアレベルの確認を行い、セキュアレベルの値をＲＡＭ６に保持してステップＳ２０５に進む。
【００１６】
ステップＳ２０５では、墨消し領域と重なるオブジェクト（以下、ＯＢＪ）をひとつ抽出する。図３（ｂ）の墨消し領域３０７は、位置関係からイメージ３０３と重なっていることが容易に判断できる。同様に墨消し領域３０８は、文字列３０４と重なっている。すべてのＯＢＪを抽出したらステップＳ２０６に進む。
【００１７】
ステップＳ２０６では、ＯＢＪをひとつ抽出し、イメージかどうか判定する。イメージであった場合は、ステップＳ２１７に進む。イメージでない場合は、ステップＳ２０７に進む。ステップＳ２１７では、イメージについてセキュアレベルに応じた領域拡張処理を行う。処理の詳細は図５のフローチャートを用いて説明する。
【００１８】
ステップＳ５０１では、ステップＳ２０４で確認し記憶したセキュアレベルがいくつであるかによって処理を変える。レベル１の場合はステップＳ５０５に進む。レベル２の場合はステップＳ５０２に進む。同様にレベル３の場合は、ステップＳ５０８に進む。各レベルの処理の定義は図４の表に示すとおりである。本実施例では、レベルは１〜３としたが、これより少なくても多くても構わない。
【００１９】
次に、ステップＳ５０５で、墨消し領域の面積のイメージ全体の面積に対する割合を算出する。たとえば、図３のイメージ３０３の縦が１５ｃｍ、横が２０ｃｍとする。また、墨消し領域３０７の縦が２ｃｍ、横が６ｃｍとすると、求める割合は、
（割合）＝（墨消し領域の面積）÷（イメージ全体の面積）
＝（２×６）÷（１５×２０）＝０．０４
となる。算出ができたらステップＳ５０６に進む。
【００２０】
ステップＳ５０６では、ステップＳ５０５で求めた割合とあらかじめ設定してある閾値０．１を比較する。（割合）＜（閾値）が成り立つときはステップＳ５０７に進む。成り立たない場合はイメージの墨消し領域拡張処理を終了してステップＳ２１０に進む。本実施例では、
割合＝０．０４＜閾値０．２
となり条件式が成り立つのでステップＳ５０７に進む。ステップＳ５０７では、領域を上下左右３０％拡大する。墨消し領域３０７の縦が２ｃｍなのでその３０％である０．６ｃｍ上下各方向に広げる。同様に横が６ｃｍなのでその３０％である１．８ｃｍ左右方向に広げる。
【００２１】
従って墨消し領域３０７は、左上の点が上に０．６ｃｍ上がり、左に１．８ｃｍ移動する。同様に右上の点は上に０．６ｃｍ上がり、右に１．８ｃｍ移動する。左下の点は、下に０．６ｃｍ下がり、左に１．８ｃｍ移動する。右下の点は、下に０．６ｃｍ下がり、右に１．８ｃｍ移動する。結果、墨消し領域３０７は、縦２＋０．６×２＝３．２ｃｍ、横６＋１．８×２＝９．６ｃｍの矩形領域に広がる。領域の拡大処理を終えるとイメージの墨消し領域拡張処理を終了してステップＳ２１０に進む。
【００２２】
ステップＳ５０１でレベル２の場合はステップＳ５０２に進み、イメージ内の顔領域認識、文字領域認識処理を行う。顔領域認識手法、文字領域認識手法は一般的などのような手法でも構わない。領域が認識できたらステップＳ５０３に進む。
【００２３】
ステップＳ５０３では、墨消し領域は顔領域、文字領域に重なっているか判定する。
【００２４】
重なっている場合は、ステップＳ５０４に進む。重なっていない場合は、イメージの墨消し領域拡張処理を終了してステップＳ２１０に進む。ステップＳ５０４では、墨消し領域を顔領域、文字領域と同じにする。
【００２５】
図３（ｃ）の例では、墨消し領域３０７を領域拡張して顔領域３１０と同じにしたことを示している。これで、イメージの墨消し領域拡張処理を終了してステップＳ２１０に進む。
【００２６】
ステップＳ５０１でレベル３の場合はステップＳ５０８に進み、墨消し領域をイメージ全体と同じにする。図３の例では、墨消し領域３０７をイメージ３０３と同じ大きさに拡張する。これで、イメージの墨消し領域拡張処理を終了してステップＳ２１０に進む。
【００２７】
図２のフローチャートのステップＳ２０７の説明を行う。ステップＳ２０７では抽出したＯＢＪがテキストＯＢＪかどうか判定する。テキストＯＢＪであればステップＳ２１５に進む。そうでない場合はステップＳ２０８に進む。ステップＳ２１５のテキストＯＢＪのセキュアレベルに応じた墨消し領域拡張処理について図６のフローチャートを用いて詳細に説明する。
【００２８】
ステップＳ６０１では、ステップＳ２０４で確認し記憶したセキュアレベルがいくつであるかによって処理を変える。レベル３であればステップＳ６０２に進む。そうでなければテキストの墨消し領域処理を終了してステップＳ２１０に進む。
【００２９】
ステップＳ６０２では、Ｕｎｉｃｏｄｅ変換情報を持つか判定する。ドキュメントがＰＤＦの場合、フォントを埋め込むことが可能であるが、ファイルサイズを小さくするため使用している文字の情報のみ持っており、文字の特定はＣＩＤ（キャラクタアイディー）で行われる。検索の場合はＣＩＤとＵｎｉｃｏｄｅの変換情報を元に文字を特定する。ところが、Ｕｎｉｃｏｄｅ変換情報は必須情報ではないため必ずしもドキュメントに含まれていない。そこでＵｎｉｃｏｄｅ情報を持つか持たないかで処理を変える。Ｕｎｉｃｏｄｅ情報を持つ場合は、ステップＳ６０７に進む。持たない場合はステップＳ６０３に進む。
【００３０】
ステップＳ６０３では、領域内の文字のＣＩＤ情報を抽出する。たとえば、図３の墨消し領域３０８は文字列３０４内の「山田太郎」の４文字と重なっているので、４文字のＣＩＤを抽出する。１４ａ３−２３ｅ３−１２ｂ４−３４７ｂとなる。
【００３１】
次にステップＳ６０４で、ページ内のステップＳ６０３で抽出された文字と同一フォントの文字領域のＣＩＤ情報を抽出する。ステップＳ６０５で、ステップＳ６０３で抽出した墨消し領域の文字のＣＩＤとページ全体の文字のＣＩＤ情報を比較して同じ文字列を抽出する。
【００３２】
次にステップＳ６０７の説明をする。ステップＳ６０２で、Ｕｎｉｃｏｄｅ変換情報を持つ場合は、ステップＳ６０７に進み領域内の文字のＵｎｉｃｏｄｅ情報を抽出する。図３の（ａ）の例では墨消し領域３０８に重なる文字列３０４内の「山田太郎」のＵｎｉｃｏｄｅ情報を抽出する。
【００３３】
ステップＳ６０８でページ内の文字領域のＵｎｉｃｏｄｅをすべて抽出し、ステップＳ６０９でＵｎｉｃｏｄｅが同じ文字を文字領域内から抽出する。図３の（ｂ）の例では文字列「山田太郎」３０９が新たに抽出されたことを示している。次にステップＳ６０６に進む。
【００３４】
ステップＳ６０４ではフォントに依存するＣＩＤ情報しかないので同一フォントの文字しか探すことができないが、Ｕｎｉｃｏｄｅ情報があればフォントに依存しないですべての文字から探すことができ、墨消し拡張処理が更に有効になる。
【００３５】
ステップＳ６０６で抽出された文字列と同じ領域を墨消し領域として追加設定する。追加設定処理について図７のフローチャートで詳細に説明する。ステップＳ７０１で新しく墨消し領域として追加しようとしているＯＢＪの領域が非表示領域にあるのか判定する。非表示領域に属しているのであればステップＳ７０２に進む。表示領域であればステップＳ７０５に進む。
【００３６】
ステップＳ７０２では、非表示注釈かどうか判定する。非表示注釈であればステップＳ７０３に進む。そうでなければ非表示レイヤーと判断し、ステップＳ７０４に進む。ここでは、２つの非表示属性について記載しているが、それより多くても少なくても構わない。
【００３７】
ステップＳ７０３では、非表示注釈拡張処理を行う。図１４のフローチャートに従って処理を説明する。ステップＳ１２０１でステップＳ２０４で確認したレベルの確認を行いそれにしたがって処理を変える。レベル１〜２であれば、ステップＳ１２０２に進み、レベル３であればステップＳ１２０３に進む。
【００３８】
ステップＳ１２０２では、墨消し領域としてＯＢＪの領域を追加設定する。図３（ｄ）と（ｅ）は非表示注釈３１３に墨消し領域３０８に重なる「山田太郎」という文字列と同じ文字列３１４が存在していることを示し、文字列３１４の占める領域を新たに墨消し領域３１５として追加したことを示している。これで非表示注釈拡張の処理を終了しステップＳ７０６に進む。
【００３９】
ステップＳ１２０３では、非表示注釈全体を墨消し領域として設定する。図３の（ｄ）の例では、非表示注釈３１３全体を墨消し領域として新たに設定する。すなわち墨消し処理実行時には注釈３１３全体を削除する。これで非表示注釈拡張の処理を終了しステップＳ７０６に進む。
【００４０】
次に、ステップＳ７０４の非表示レイヤー拡張処理について図８のフローチャートに従って説明する。ステップＳ８０１でステップＳ２０４で確認したレベルの確認を行いそれにしたがって処理を変える。レベル１〜２であれば、ステップＳ８０２に進み、レベル３であればステップＳ８０３に進む。
【００４１】
ステップＳ８０２では、墨消し領域としてＯＢＪの領域を追加設定する。図３（ｆ）と（ｇ）は非表示レイヤー３１６に墨消し領域３０８に重なる「山田太郎」という文字列と同じ文字列３１７が存在していることを示し、文字列３１７の占める領域を新たに墨消し領域３１８として追加したことを示している。これで非表示レイヤー拡張の処理を終了しステップＳ７０６に進む。
【００４２】
ステップＳ８０３では、非表示レイヤー全体を墨消し領域として設定する。図３の（ｆ）の例では、非表示レイヤー３１６全体を墨消し領域として新たに設定する。すなわち墨消し処理実行時にはレイヤー３１６全体を削除する。これで非表示レイヤー拡張の処理を終了しステップＳ７０６に進む。
【００４３】
次にステップＳ７０５の処理を説明する。ステップＳ７０５では墨消し領域として表示されているＯＢＪの領域を追加設定する。図３（ｂ）と（ｃ）の例では、墨消し領域３０８に重なる「山田太郎」という文字列と同じ文字列３０９が存在していることを示し、文字列３０９の占める領域を新たに墨消し領域３１１として追加したことを示している。文書形式によっては非表示注釈や非表示レイヤーなど非表示設定できないものがあるが、その場合はすべてステップＳ７０５で処理する。これで処理を終了しステップＳ７０６に進む。
【００４４】
ステップＳ７０６では、墨消し領域として追加すべきすべての領域を処理したか判定する。処理したのであれば墨消し領域追加処理を終えて文字領域拡張（変更）処理に戻るが、文字領域拡張処理も終了となるためステップＳ２１０に進む。
【００４５】
ステップＳ２１０では、墨消し領域と重なるすべてのＯＢＪを処理したか判定し、残っている場合はステップＳ２０５に戻って処理を継続する。すべての処理をした場合は、ステップＳ２１１に進む。ステップＳ２１１では、拡張（変更）された領域の表示を行う。図３（ｃ）の広げられた墨消し領域３１０や新たに追加された墨消し領域３１１がその例である。
【００４６】
次にステップＳ２１２で、領域はこれでよいかユーザにダイアログなどで確認をとる。良いと確認が取れればステップＳ２１３に進む。良くなければステップＳ２１９に進む。
【００４７】
ステップＳ２１３では墨消し処理を実行する。すなわち墨消し領域と重なるＯＢＪデータをすべて削除する。これで一連の墨消し処理を終了する。
【００４８】
ステップＳ２１９では、追加・修正した墨消し領域を元に戻す。その後、ステップＳ２０３に戻りボタンが押されるのを待機する。
【００４９】
ユーザが機密情報を見落としてしまう例について説明する。図３の例では、墨消し領域以外に文字列３０９に「山田太郎」が存在するが、Ｕｎｉｃｏｄｅ変換情報を持たないため「山田太郎」とＵｎｉｃｏｄｅで検索してもヒットしない。本実施例の処理により、機密情報に気が付かないで残ってしまっても、墨消し領域に自動的に追加することが可能となる。
【００５０】
本実施例により、ユーザが設定した領域以外で見落とした機密情報も確実に削除し、ページ数やオブジェクト数が多いドキュメントにおいても手間をかけず短時間で機密保持レベルに応じた機密領域のチェックと修正を行うことが可能となる。これにより、操作性を大きく向上させることが可能となる。
【００５１】
［実施形態２］
実施形態１の墨消し領域チェック部８は、同一ページ内の表示領域、非表示注釈、非表示レイヤーなどから墨消し領域の追加処理を行ったが、ドキュメント内の別ページについても墨消し領域の追加処理を行っても構わない。
【００５２】
図９はステップＳ２１７のイメージの墨消し領域拡張処理の実施形態２の例である。ステップＳ５０１からステップＳ５０８までの処理は実施形態１と同じである。Ｓ５０１からステップＳ５０８の処理を終えたのちに、ステップステップＳ９０１に進む。
【００５３】
ステップＳ９０１では、ドキュメント内で同一イメージを使用していないかの判定を行う。墨消し対象のイメージと同一のイメージを他のページでも使用していないか確認を行う。使用していればステップＳ９０２に進む。使用していなければ処理を終了する。
【００５４】
ステップＳ９０２では、別ページの同一イメージも墨消し領域として追加する。これで第２の実施形態のイメージの墨消し領域拡張処理の説明を終了する。
【００５５】
次に図１０を用いてステップＳ２１５の文字の墨消し領域拡張処理の実施形態２の例を説明する。実施形態１との違いはステップＳ６０４とステップＳ６０８であり、それぞれステップＳ１００１、ステップＳ１００２となる。
【００５６】
ステップＳ１００１では、ドキュメント内、すなわち別ページも含めて文字領域のＣＩＤを抽出する。同様にステップＳ１００２ではドキュメント内、すなわち別ページも含めて文字領域のＵｎｉｃｏｄｅを抽出する。これらの処理により同一ページ内だけではなくドキュメント内の別ページの機密情報についても忘れることなく墨消し処理を行うことが可能となる。
【００５７】
これら実施形態２の処理でも実施形態１と同様の効果を得ることができる。
【００５８】
［実施形態３］
実施形態１の墨消し領域チェック部８は、同一ページ内の表示領域、非表示注釈、非表示レイヤーなどから墨消し領域の追加処理を行ったが、ユーザによってはすべての墨消し領域を自分で設定したい場合もある。その場合でも墨消し領域の設定が充分であるかどうかの指標を示すことで自ら機密領域のチェックをする場合の助けになり操作性を大きく向上する効果がある。
【００５９】
図１１の例は実施形態３の説明図である。ユーザが設定した墨消し領域３０７に対してカバー率１１０１を示している。同様に墨消し領域３０８に対してカバー率１１０２を示している。カバー率１１０１は、墨消し領域３０７と重なるＯＢＪがイメージであるため、墨消し領域の面積に対するイメージ全体の割合である。具体的な求め方は、ステップＳ５０５で行った計算式と同じである。結果をユーザに表示するのが実施形態３の特徴である。
【００６０】
たとえば、図３のイメージ３０３の縦が１５ｃｍ、横が２０ｃｍとする。また、墨消し領域３０７の縦が２ｃｍ、横が６ｃｍとすると、求める割合は、
（割合）＝（墨消し領域の面積）÷（イメージ全体の面積）
＝（２×６）÷（１５×２０）＝０．０４
となり、カバー率１１０１は「４％」と表示する。
【００６１】
同様に墨消し領域３０８と重なる領域は文字領域であるため、
（割合）＝（墨消し領域と重なる文字数）÷（段落全体の文字数）
＝（４文字）÷（４０文字）＝０．１
となり、カバー率１１０２は「１０％」と表示する。
【００６２】
ここでは、カバー率について表示する例について述べたが、同一のＯＢＪがドキュメント内にいくつあるかなどの数を示しても構わない。
【００６３】
これら実施形態３の処理でも実施形態１と同様の効果を得ることができる。
【００６４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６５】
３０１  ディスプレイ内の表示
３０２  ドキュメント
３０３  ドキュメント内のイメージ
３０４  ドキュメント内の文字列
３０５  墨消し設定ボタン
３０６  墨消し実行ボタン
３０７、３０８、３１０、３１１  墨消し領域
３０９  文字列
３１２  墨消し領域セキュアチェックボタン
【図１】
2015203919.tif 000003
【図２】
2015203919.tif 000004
【図３】
2015203919.tif 000005
【図４】
2015203919.tif 000006
【図５】
2015203919.tif 000007
【図６】
2015203919.tif 000008
【図７】
2015203919.tif 000009
【図８】
2015203919.tif 000010
【図９】
2015203919.tif 000011
【図１０】
2015203919.tif 000012
【図１１】
2015203919.tif 000013
【図１２】
2015203919.tif 000014